(57)【要約】【課題】  搬送される紙葉を整える構成において、従来の技術は紙葉の搬送を一端停止して堆積紙葉を揃えるものであり、冊子の製造工程において、揃えるための時間を必要とするものである。そして、揃えられた紙葉を搬送する場合には、搬送先において再び堆積紙葉を揃える必要がある。このため、冊子などの製造ラインの構成が複雑になるとともに、製造ラインの構成に多くの費用を必要とするものである。【解決手段】  堆積した紙葉９を揃える紙葉整合装置１において、紙葉９を搬送する搬送装置７に対して、搬送方向に延出したレール３と、該レール３に沿って一定距離移動する矯正具２とを有し、矯正具２の搬送方向への抗力を磁石１５とプレート１８との距離により調節可能とし、矯正具２を搬送方向に移動させるとともに、該矯正具２と紙葉９とを当接させ、堆積した紙葉９を揃える。【選択図】  図１
2005138960.tif 000002
【特許請求の範囲】
【請求項１】
堆積した紙葉を揃える紙葉整合装置において、搬送方向に延出したレールと、該レールに沿って一定距離移動する矯正体とを有し、該矯正体と紙葉とを当接させ、堆積した紙葉を揃えることを特徴とする紙葉整合装置。
【請求項２】
堆積した紙葉を揃える紙葉整合装置において、搬送方向に延出したレールと、該レールに沿って一定距離移動する矯正体とを有し、矯正体の搬送方向への抗力を調節可能とし、矯正体を搬送方向に移動させるとともに、該矯正体と紙葉とを当接させ、堆積した紙葉を揃えることを特徴とする紙葉整合装置。
【請求項３】
堆積した紙葉を揃える紙葉整合装置において、搬送方向に延出したレールと、該レールに沿って一定距離移動する矯正体とを有し、矯正体の搬送方向への抗力を、搬送方向と直交する磁力により、発生させることを特徴とする紙葉整合装置。
【発明の詳細な説明】
【技術分野】
【０００１】
本発明は、堆積された紙葉を整える紙葉整合装置の技術に関するものである。より詳しくは、搬送途中にある堆積された紙葉においてはみ出した紙葉を整える紙葉整合装置に関する。
【背景技術】
【０００２】
複数の用紙からなる紙束を整合させる紙束整合装置として、用紙を所定量水平方向に積層し、これを狭持する狭持部材と、狭持された紙束を鉛直方向に載置する振動板とから構成されている。排出された用紙は、搬送ローラによって、狭持部材に搬送される。所定枚数の用紙が狭持部材にスタックされると、狭持部材は、用紙を上下から狭持し９０°旋回して紙束を鉛直方向に起立させる。そして、紙束を振動板に載置して、振動板を振動させ当接部材に紙束の側端部を当接させて紙束を整合させるものである（例えば、特許文献１を参照）。
【０００３】
そして、輪転機から搬送される折丁を集積する折丁集積装置における折丁を小束に集積する小束集積部の折丁突き揃え装置であって、搬送路より送出される折丁の送出方向を規制するサイドガイドに振動を与え、かつサイドガイドの前方に折丁を受け止める振動板を垂設し、振動板が平行に前後方向に振動させる機構によって、複数部の折丁を垂直に揃えて集積する装置も知られている（例えば、特許文献２を参照）。
【０００４】
【特許文献１】特開平１１−１５７７３５号公報
【特許文献２】特開２００２−３３８１２８号公報
【発明の開示】
【発明が解決しようとする課題】
【０００５】
従来の構成においては、紙葉の搬送を一端停止して堆積紙葉を揃えるものであり、冊子の製造工程において、揃えるための時間を必要とするものである。そして、揃えられた紙葉を搬送する場合には、搬送先において再び堆積紙葉を揃える必要がある。このため、冊子などの製造ラインの構成が複雑になるとともに、多くの費用を必要とするものである。
【課題を解決するための手段】
【０００６】
本発明は、堆積紙葉を搬送しながら揃えることを最も主要な特徴とする。
すなわち、請求項１に記載のごとく、堆積した紙葉を揃える紙葉整合装置において、搬送方向に延出したレールと、該レールに沿って一定距離移動する矯正体とを有し、該矯正体と紙葉とを当接させ、堆積した紙葉を揃える。
【０００７】
請求項２に記載のごとく、堆積した紙葉を揃える紙葉整合装置において、搬送方向に延出したレールと、該レールに沿って一定距離移動する矯正体とを有し、矯正体の搬送方向への抗力を調節可能とし、矯正体を搬送方向に移動させるとともに、該矯正体と紙葉とを当接させ、堆積した紙葉を揃える。
【０００８】
請求項３に記載のごとく、堆積した紙葉を揃える紙葉整合装置において、搬送方向に延出したレールと、該レールに沿って一定距離移動する矯正体とを有し、矯正体の搬送方向への抗力を、搬送方向と直交する磁力により、発生させる。
【発明の効果】
【０００９】
請求項１に記載のごとく、堆積した紙葉を揃える紙葉整合装置において、搬送方向に延出したレールと、該レールに沿って一定距離移動する矯正体とを有し、該矯正体と紙葉とを当接させ、堆積した紙葉を揃えるので、
搬送する堆積紙葉と平行に移動しながら、紙葉を揃えることができる。このための簡便な構成により実現可能であるとともに、紙葉整えのための制御が簡便であり、紙葉整合装置の調整も容易に行うことができる。
【００１０】
請求項２に記載のごとく、堆積した紙葉を揃える紙葉整合装置において、搬送方向に延出したレールと、該レールに沿って一定距離移動する矯正体とを有し、矯正体の搬送方向への抗力を調節可能とし、矯正体を搬送方向に移動させるとともに、該矯正体と紙葉とを当接させ、堆積した紙葉を揃えるので、
搬送途中において、容易に紙葉の整えを行うことができる。冊子製造にかかる時間を短縮できるとともに、冊子にかかるコストを低減できる。
【００１１】
請求項３に記載のごとく、堆積した紙葉を揃える紙葉整合装置において、搬送方向に延出したレールと、該レールに沿って一定距離移動する矯正体とを有し、矯正体の搬送方向への抗力を、搬送方向と直交する磁力により、発生させるので、
簡単な構成により、紙葉を揃えるための抗力を調節可能であり、紙葉に適した調節を容易に行うことができる、という利点がある。
【発明を実施するための最良の形態】
【００１２】
搬送途中の堆積紙葉を揃えるという目的を、搬送方向と平行に配設した矯正具を有する堆積紙葉整合装置により実現した。
【実施例１】
【００１３】
本発明の実施例について、図を用いて説明する。
堆積紙葉整合装置は搬送される紙葉に当接して紙葉を揃えるものであり、揃えた紙葉を回避して待機位置に復帰するものである。
図１は堆積紙葉整合装置の堆積紙葉揃え工程を示す図であり、図２は堆積紙葉整合装置の紙葉回避工程を示す図であり、図３は堆積紙葉整合装置の矯正具復帰工程を示す図である。
【００１４】
図１を用いて、堆積紙葉整合装置の紙葉を整える工程について説明する。
堆積紙葉９は搬送装置７上に載せられ、紙面において右から左へと搬送される。堆積紙葉整合装置１は搬送装置７の上方に配設されており、積載される紙葉９に当接可能に構成されている。堆積紙葉整合装置１は矯正具２およびレール３を有するものであり、レール３は搬送方向に延出され、矯正具２はその下部において搬送装置７上の紙葉９に当接可能に構設されている。矯正具２はレール３に沿って、紙葉９と平行に移動しながら紙葉を揃えるものである。
【００１５】
堆積紙葉整合装置１において、堆積紙葉９は矯正具２の当接体１０に当接して揃えられる。堆積紙葉整合装置１において、レール３・３は保持具４・４により支持されており、レール３・３は矯正具２に挿嵌されている。矯正具２はレール３・３に沿って堆積紙葉の搬送方向に摺動可能に構成されている。矯正具２の下部には当接体１０が回動自在に配設されており、当接体１０を紙葉に接触させて堆積紙葉を揃えるものである。
【００１６】
図１において、（ａ）（ｂ）（ｃ）は紙葉を整える経過を示す図である。
紙葉を整える工程において、搬送装置７により堆積紙葉９が搬送され、搬送装置７の上方において当接体１０の一端が堆積紙葉９の紙葉面と直交するように配設されている。当接体１０は堆積紙葉９に対して、搬送方向下流側に配設される。
矯正具２は搬送方向に移動する場合に、搬送方向に対向する抗力を発生させるものである。堆積紙葉９において、搬送方向に飛び出している紙葉は当接体１０に当たり、矯正具２より抗力を受ける。これにより、堆積紙葉９において搬送方向に突出している紙葉が搬送方向と反対側に押し込まれ、堆積紙葉９が整えられるものである。すなわち、搬送方向に突出している紙葉が堆積紙葉９側に押し込まれることとなり、堆積紙葉９が整合される。
【００１７】
次に、堆積紙葉９が整合されたのちの矯正具２の動作について、図２を用いて説明する。
図２において、（ｃ）（ｄ）（ｅ）は矯正具２の紙葉を整えた後の動作を示す図である。
上述のように堆積した紙葉を整合した後に、矯正具２は堆積紙葉９に押されレール３の所定位置に到達する。矯正具２が所定位置に到達すると、図示しないセンサにより矯正具２の到達が認識され、矯正具２下部に取付けた当接体１０が回動される。
当接体１０は正面視Ｌ字上に構成されており、屈曲した一端において堆積紙葉９に当接する構成となっている。このため、当接体１０が回動して当接部を上方に回動することにより、矯正具２と堆積紙葉９との接触が解消され、矯正具２は堆積紙葉９の搬送に関係なく、停止することとなる。
【００１８】
次に、矯正具２の復帰動作について、図３を用いて説明する。
図３において、（ｆ）（ｇ）（ｈ）は矯正具２の紙葉を整えた後の動作を示す図である。
当接体１０を回動し、堆積紙葉９との接触が解消された矯正具２は、レール３の一端側より、他端側に復帰する。堆積紙葉９の搬送にともない、搬送経路下流側に移動した矯正具２は復帰手段により、搬送経路上流側に移動する。
矯正具２が搬送経路上流側に復帰する過程において、当接体１０の一端を上方に回動することにより、堆積紙葉９を回避して矯正具２を移動させることができるものである。
一端を上方に回動させた状態でレール３の上流側端に到達した矯正具２は、当接体１０の一端を下方に回動して、当接体１０を堆積紙葉に当接可能位置にセットする。
これにより、レール３の下方に搬送される堆積紙葉９に当接体１０を当て、矯正具２により、堆積紙葉９を整えることが出来るものである。
【００１９】
次に、堆積紙葉整合装置１の構成について、図４から図７を用いて説明する。
図４は堆積紙葉整合装置の背面図であり、図５は堆積紙葉整合装置の背面一部断面図であり、図６は図４におけるＡ−Ａ線断面図であり、図７は堆積紙葉整合装置の平面一部断面図である。
レール３・３は上下に平行かつ水平方向に延出されており、各レール３は保持具４・４により両端を保持されている。矯正具２には２本のレール３・３が挿嵌されており、矯正具２はレール３・３に沿って移動するものである。
レール３・３を保持する保持具４にはステーが取付けられており、一端側の保持具４のステーには戻り位置調製具１２が取付けられており、他端側の保持具４には復帰手段１３が取付けられている。戻り位置調節具１２は、本実施例において、ボルトにより行うものであり、このボルトの締め込み量により矯正具２の搬送方向上流側の移動開始位置を調節するものである。復帰手段１３はエアシリンダにより構成されており、エアシリンダの摺動により矯正具２を搬送方向上流側の位置に戻すものである。
【００２０】
矯正具２の下部には、前述のごとく当接体１０が配設されており、当接体１０の上方にはレール３を挿嵌するスリーブ１４・１４が配設されている。そして、矯正具２の上部には磁石１５が配設されている。
【００２１】
そして、矯正具２には左右に延出されたレール３・３が挿嵌しており、矯正具２の前方にはプレート１８が配設されている。プレート１８は矯正具２の前方において、レール３と平行に配設されているものである。プレート１８は両端に接続したステーにより支持されており、このステーは保持具４に固設されているものである。
【００２２】
当接体１０は、図６に示すごとく、軸受１６を介して矯正具２に支持される。当接体１０にはアーム１７が設けられており、図示しない駆動装置をアーム１７に接続することにより当接体１０を矯正具２に対して回動させるものである。これにより、当接体１０の体積紙葉との接触と回避を制御するものである。
【００２３】
スリーブ１４は、矯正具２においてレール３の延出方向に設けられた孔に挿嵌されており、矯正具２の側面に設けた抜止具により矯正具２に固定されるものである。このようにスリーブ１４を取付けるので、矯正具２におけるスリーブ１４の交換が容易となるものである。矯正具２の移動時における抗力はレール３とスリーブ１４との間において発生するものであり、スリーブ１４を交換することによいり、矯正具２の移動時における抗力の調節を行うことが可能となる。
【００２４】
磁石１５は、矯正具２の上部において、プレート１８に向けて設けられた孔内に配設されており、孔の内部において磁石１５とプレート１８との距離を調節可能に構成している。プレート１８は鉄などの強磁性体により構成されるものであり、磁石１５と引き合いレール３とスルーブ１４との間にレール３の延出方向と直交する抗力を発生させる。これにより、レール３とスルーブ１４との間の摩擦力が増大するものであり、この摩擦力を矯正具２の移動に対する抗力とするものである。
プレート１８と磁石１５との間に発生する磁力は、プレート１８と磁石１５との間の距離により調節できるものである。このため、矯正具２における磁石１５の位置を調節することにより、矯正具２の移動に対する抗力を調節可能であり、堆積した紙葉の重さや紙質などに応じた矯正具２の調節を行うことが可能となる。
【００２５】
次に、プレート１８と磁石１５の構成について説明する。
図８は磁石とプレートの構成を示す平面図である。
図８において、プレート１８はレール３に対して平行に構成されるものであり、矯正具２の移動量に関係なく、磁石１５とプレート１８との間隔が一定に成るように構成されている。これにより、磁石１５とプレート１８間に発生する吸着力を一定に保ち、矯正具２にかかる動摩擦力を一定に保つものである。矯正具２の抗力を一定に維持することにより、堆積紙葉の整合を安定した精度で行うことができる。
【００２６】
矯正具２は、前述のごとく直線状に配設されたレール３に沿って移動するものであり、磁石１５も直線運動を行うものである。しかし、プレート１８は磁石１５に対してその間隔を変化させることも可能である。
図９は磁石とプレートの他の構成例を示す平面図である。
図９に示すごとく、プレート１８を磁石１５の軌道に対して変化させることにより、磁石１５とプレート１８間に発生する吸着力に変化を与え、矯正具２の位置により抗力を変化させることができるものである。
図９に示す構成においては、矯正具２による整合工程の初期において大きな抗力維持し、中盤において徐々に抗力を減少させ、後期においては小さな抗力を維持するものである。このように、プレート１８の形状により、矯正具２の抗力調製を容易にできるとともに、構成が簡便となる。
【図面の簡単な説明】
【００２７】
【図１】堆積紙葉整合装置の堆積紙葉揃え工程を示す図。
【図２】堆積紙葉整合装置の紙葉回避工程を示す図。
【図３】堆積紙葉整合装置の矯正具復帰工程を示す図。
【図４】堆積紙葉整合装置の背面図。
【図５】堆積紙葉整合装置の背面一部断面図。
【図６】図４におけるＡ−Ａ線断面図。
【図７】堆積紙葉整合装置の平面一部断面図。
【図８】磁石とプレートの構成を示す平面図。
【図９】磁石とプレートの他の構成例を示す平面図。
【符号の説明】
【００２８】
１  堆積紙葉整合装置
２  矯正具
３  レール
４  保持具
７  搬送装置
９  紙葉
１０  当接体
１３  復帰手段
【図１】
2005138960.tif 000003
【図２】
2005138960.tif 000004
【図３】
2005138960.tif 000005
【図４】
2005138960.tif 000006
【図５】
2005138960.tif 000007
【図６】
2005138960.tif 000008
【図７】
2005138960.tif 000009
【図８】
2005138960.tif 000010
【図９】
2005138960.tif 000011